(57)【要約】【課題】懐の狭い床下空間内の配管で、吊下げ支持したプラスチック樹脂製の柵状パネルヒータを用いた輻射冷暖房システムにおいて、パネルヒータの熱伸縮を吸収し、居室内への配置の自由度が高い、冷暖房パネルヒータを得る。【解決手段】床面から天井面に亘って立設した枠体の両側柱で区画される範囲内に、両側柱間に配置した保持金具で、熱伸縮が大きく、保形性に乏しいプラスチック樹脂製の柵状パネルヒータの上部を、前後動及び左右動を規制して吊下げ保持し、下部を両側の柱に取付けた振止金具で、前後動及び左右動を規制し、パネルヒータの下方に配置したドレンパン内に起立する鞘管、及び傾斜状の配管で熱伸縮を吸収する。【選択図】図１
2018162961.tif 000002
【特許請求の範囲】
【請求項１】
床面から天井面に亘って立設した枠体の左右の両側柱間の空間内に、複数の細管群の上下端にヘッタ管によって連通した、同形状の、前側パネルと後側パネルとを重層した縦長タイプの柵状パネルヒータの上端を吊下げ形態で配置するものであり、前記後側パネルの下側ヘッタ管の下端に、左右小間隔で、冷温水供給口及び冷温水排出口を付設し、一方に床下空間から延出した往き側パイプを、他方に還り側パイプを連通接続したことを特徴とする、冷暖房パネルヒータシステム。
【請求項２】
前記冷温水供給口を前記後側パネルの右端細管に整合して前記下側ヘッタ管に突設し、前記冷温水排出口を前記後側パネルの右から４番目の細管に整合して前記下側ヘッタ管に突設させた、請求項１に記載の冷暖房パネルヒータシステム。
【請求項３】
前記枠体の両側柱間の長さ方向全長に亘り、縦長タイプの前記柵状パネルヒータ下方に配置するねじ固定のドレンパンは、右側の底板上に、前記柵状パネルヒータの熱伸縮によって長さ方向に伸縮する、前記往き側パイプ及び還り側パイプを貫通摺動させる２本の鞘管を起立した、請求項１又は２に記載の冷暖房パネルヒータシステム。
【請求項４】
前記冷温水供給口及び前記冷温水排出口に接続する接続金具の下端縁には、管及び被覆保温材とで成る被覆パイプの、前記往き側パイプ及び還り側パイプの上端を、管を剥き出しにした前記被覆パイプを連通接続するものであり、凸形状のゴムキャップを用いて、前記ゴムキャップの上側小径部を前記管に被着し、前記ゴムキャップの下側大径部を前記被覆パイプ及び鞘管に被着し、前記ゴムキャップの下端を前記ドレンパンの底板上に載置して配置する、請求項３に記載の冷暖房パネルヒータシステム。
【請求項５】
細長タイプの前記柵状パネルヒータの下端に接続する、前記被覆パイプの往き側パイプ及び還り側パイプを、床下空間内に下降傾斜状に配管して、前記柵状パネルヒータの熱伸縮を吸収する、請求項１から４のいずれか１項に記載の冷暖房パネルヒータシステム。
【請求項６】
前記柵状パネルヒータは、前記前側パネルの上側ヘッタ管に、右端の前記細管と右から２番目の前記細管間に整合して仕切板を配置し、前記後側パネルの上側ヘッタ管及び下側ヘッタ管に、右端の前記細管と右から２番目の前記細管間に整合して前記仕切板を配置し、流水方向を規制した、請求項１又は２に記載の冷暖房パネルヒータシステム。
【請求項７】
前記柵状パネルヒータの流水循環は、前記後側パネルの右端細管を水流上昇路として冷温水を供給し、前記前側パネルの右端細管を水流下降路とし、前記前側パネルの細管群を水流上昇路とし、前記後側パネルの細管群を下降流路として流水する、請求項６に記載の冷暖房パネルヒータシステム。
【請求項８】
前記枠体に配置する前記柵状パネルヒータは、両側端と前記柱との間隔を３０〜５０ｍｍ、上端と天井面との間隔を４０〜６０ｍｍ、後端と背面の壁との間隔を２５〜４０ｍｍ、下端と前記ドレンパンとの間隔を９０〜１１０ｍｍの位置で前記枠体の空間内に設置する、請求項１から３のいずれか１項に記載の冷暖房パネルヒータシステム。
【請求項９】
少なくとも外壁内面に配置した前記枠体の、両側柱内側面に備えた切欠間に、断熱性及び非透過性、反射性の遮熱断熱材を張設配置した、請求項８記載の冷暖房パネルヒータシステム。
【請求項１０】
少なくとも前記外壁内面に配置する前記枠体は、前記両側柱と、前記ドレンパンと、仮止材と、前記遮熱断熱材とで構成し、前記枠体内に保持金具及び振止金具を用いて前記柵状パネルヒータを組込みした、請求項９記載の冷暖房パネルヒータシステム。
【発明の詳細な説明】
【技術分野】
【０００１】  本発明は、改修用の冷暖房システムの一部として建物内に配置される柵状の熱交換パネルである。
【背景技術】
【０００２】  建物内の冷暖房システムとしては、ルームエアコンなどの冷暖房装置を用いたものが代表的であるが、近年、建物内に配置された熱交換パネルに冷温水を循環供給し、熱交換パネルからの熱放射によって建物内の暖房や冷房を行う冷暖房システムが提案されている。
図８は、特許文献１として挙げた従来例１の「温水循環暖房器」であって、本出願人が特開２００９‐２２２２９７号（特許第４５１４８０６号）として提案したものであり、図８（Ａ）はパネルヒータの左側面図、図８（Ｂ）は前側パネルの正面図、図８（Ｃ）は右側面図、図８（Ｄ）は後側パネルの正面図であって、符号のｆ１〜ｆ１１は流水を示すものである。【０００３】  従来例１（図８）のパネルヒータは、同径同長のプラスチック製細管群を並列配置し、上端及び下端をプラスチック製ヘッタ管によって連通した２枚の放熱パネルを、スペーサパイプ及び導水パイプを介在して前後重層一体化したものであり、前側パネルの下側ヘッタ管に温水供給口を付設し、温水供給口と同位置の後側パネルの下側ヘッタ管に温水排出口を付設した、全プラスチック製パイプから成る、吊下げ支持の、横長タイプの温水循環放熱パネルで、露出した放熱部を構成する暖房器である。【０００４】  従来例１（図８）のプラスチック放熱器は、前側パネルの下側ヘッタ管に付設する供給口から温水を供給（ｆ１）→下側ヘッタ管を横流（ｆ２）→細管群を上昇流（ｆ３）→上側ヘッタ管を横流（ｆ４）→前側パネルと後側パネルを連通する導水パイプから後側パネルに流水（ｆ５）→左端の細管を下降流（ｆ６）→下側ヘッタ管を横流（ｆ７）→細管群を上昇流（ｆ８）→上側ヘッタ管を横流（ｆ９）→右端の細管を下降流（ｆ１０）→後側パネルの下側ヘッタ管に付設する排出口から排出（ｆ１１）させるものであり、短尺の細管で形成する放熱器は熱伸縮の影響は小さい。【０００５】  図９は、特許文献２として挙げた従来例２の「冷温水循環パネルヒータ」であって、本出願人が特開２０１４‐１９０５６号（特許第５７３２０９５号）として提案したものであり、図９（Ａ）はパネルヒータの左側面図、図９（Ｂ）は前側パネルの正面図、図９（Ｃ）は右側面図、図９（Ｄ）は後側パネルの正面図であって、符号のｆ１〜ｆ１１は流水を示すものである。【０００６】  従来例２（図９）のパネルヒータは、従来例１と同様の構造で、同径同長のプラスチック製細管群を並列配置し、上端及び下端をプラスチック製ヘッタ管によって連通した２枚のパネルヒータを、スペーサパイプ及び導水パイプを介在して前後に重層一体化したものであり、前側パネルの上側ヘッタ管の右端上側に冷温水供給口を付設し、後側パネルの上側ヘッタ管に供給口と同位置に排出口を付設した、全プラスチック樹脂製パイプから成る、露出した放熱部を構成する吊下げ支持の、縦長のパネルヒータである。【０００７】  従来例２（図９）のパネルヒータは、前側パネルの上側ヘッタ管に付設する供給口から冷温水を供給（ｆ１）→右端の細管を下降流（ｆ２）→下側ヘッタ管を横流（ｆ３）→細管群を上昇流（ｆ４）→上側ヘッタ管を横流（ｆ５）→前側パネルと後側パネルを連通する導水パイプから後側パネルに流水（ｆ６）→左端の細管を下降流（ｆ７）→下側ヘッタ管を横流（ｆ８）→細管群を上昇流（ｆ９）→上側ヘッタ管を横流（ｆ１０）→後側パネルの上側ヘッタ管に付設する排出口から排出させるものであり、パネルヒータは上側を固定し、供給口及び排出口は上側ヘッタ管に付設しているため、細管が熱伸縮しても支障はない��
【先行技術文献】
【特許文献】
【０００８】
【特許文献１】特許第４５１４８０６号  （特開２００９−２２２２９７号）
【特許文献２】特許第５７３２０９５号  （特開２０１４−１９０５６号）
【発明の概要】
【発明が解決しようとする課題】
【０００９】  従来例１（図８）のプラスチック温水循環暖房器は、前側パネルから押圧された空気や、温水内の溶存酸素が気体化して、後側パネルの大径の上側ヘッタ管に滞留し、小径の右端細管の下降流でのエアの誘導は難解であり、流水不足による放熱斑や空気滞留による流水停止が生じるため、エア抜き機構が必須となる。
また、温水循環暖房器は、温水供給時に、温水供給口上部の右端細管から遠方の左端細管に向って、細管群に下降傾斜状に温水が供給され、露出前面の前側パネルの右側の一部に熱変位が生じ、蛇行して美観上の問題がある。【００１０】  従来例２（図９）のパネルヒータは、前側パネルの上側ヘッタ管右端の供給口から、冷温水が右端細管を下降流で供給され、露出前面の前側パネルの右端細管に熱変位が生じ、蛇行して美観上の問題がある。
また、従来例１（図８）の温水循環暖房器も、従来例２（図９）のパネルヒータも、供給口及び排出口が前後同位置で近接（中心間距離：１８．５ｍｍ）して配置され、パイプの接続作業、保温材の被覆作業が煩雑であり、ヘッタ管と供給口、排出口の接合部に亀裂が生じ漏水の恐れがある。【００１１】  本願発明は、これら従来例の問題点を一挙に解決又は改善した改修用の居室配置型の冷暖房パネルヒータシステムを提供するものであって、床下空間の懐（上下方向空間）の狭い鉄骨造、鉄筋コンクリート造の居室や、床下空間の懐の広い木造建物に適用でき、居室内の壁面に直交配置や、予め枠体内にパネルヒータを取付けした一体化パネルも可能であって、実用性の高い居室配置の冷暖房パネルヒータを提供する。
【課題を解決するための手段】
【００１２】  本発明の冷温水循環パネルヒータは、同径同長の多数のプラスチック製細管群を並列配置して、上端及び下端をプラスチック製ヘッタ管によって連通した、前側パネル及び後側パネルを、上側ヘッタ管の両端に導水パイプで通水可能に、下側ヘッタ管の両端にスペーサパイプで通水不能に接続して、前側パネルと後側パネルとを前後に重層一体化した縦長タイプの柵状パネルヒータである。【００１３】  また、後側パネルの下側ヘッタ管下端には、流路の上昇路となる右端の細管と整合して冷温水供給口を付設し、流路の下降路となる右端細管と小間隔で冷温水排出口を付設する、全プラスチック製パイプから成る冷温水循環パネルヒータであり、上側及び下側のヘッタ管の両端縁にヘッタ管と同径の小口板を配置して管を閉止し、前側パネルの上側ヘッタ管に、右端の細管及び右から２番目の細管間と同位置にヘッタ管と同径の仕切板を配置し、後側パネルの上側ヘッタ管及び下側ヘッタ管に前側パネルと同様に、右端細管及び右から２番目の細管と同位置に仕切板をおのおの配置して、パネルヒータ内の流水方向を規制する。【００１４】  柵状パネルヒータの取付けは、パネルヒータの両側に間隔を設けて立設する枠体の柱内面上側に、両端を屈曲した金属製の受金具を配置し、受金具の左右方向中央の上側に穿設する嵌合溝に板状の金属製支持バーを差し渡し状に嵌入配置し、上視コ字形状の下側に嵌合溝を備えた支承金具を支持バー両端に取付け、後側パネルの隣接する２本の細管を嵌合する形態で当接し、支承金具にパネルヒータの上側ヘッタ管を載置してパネルヒータを吊下げ配置するものであり、パネルヒータの下側はクランク形状の金属製の振止金具を、両端の細管及び両端から２番目の細管間に先端突出辺を挿入し両側の柱に配置して、パネルヒータ下側の前後動、左右動を阻止する。【００１５】  また、柵状パネルヒータの上下適所に間隔配置して、パネルヒータの前側パネル及び後側パネルの全細管を、パネルヒータの全幅に亘って拘束し、全細管相互の位置関係を確保する、開口を備えた円弧弾性クリップ群を穿設したプラスチック製連結具を配置して、パネルヒータの剛性を付与する。【００１６】  パネルヒータ内の冷温水の水流循環は、後側パネルの下側ヘッタ管下端に付設する冷温水供給口からの流入（ｆ１）が右端細管の上昇流（ｆ２）→後側パネルから右端導水パイプを流水（ｆ３）して前側パネルへ→前側パネルの右端細管の下降流（ｆ４）→下側ヘッタ管内の横流（ｆ５）→細管群の上昇流（ｆ６）→右側ヘッタ管内の横流（ｆ７）→前側パネルから左端導水パイプを流水（ｆ８）して後側パネルへ→後側パネルの上側ヘッタ管内の横流（ｆ９）→細管群の下降流（ｆ１０）→下側ヘッタ管内の横流（ｆ１１）→後側パネルの下側ヘッタ管下端に付設する排出口からの排出（ｆ１２）と循環し、後側パネルの下側右端の供給口から、供給口と間隔（標準中心間距離：６０ｍｍ）を設けて下側ヘッタ管の下端に付設した冷温水排出口に循環流水する。【００１７】  この場合、高温水が流水する後側パネルの右端の細管を前側パネルの複数の細管群で目隠しさせて、右端の細管の熱変形を隠蔽形態とするのが美観上好ましい。
また、冷温水循環パネルヒータ内の空気や冷温水内の溶存酸素の気体は、前側パネルの細管群の上昇流水（ｆ６）によって上側ヘッタ管に押圧し、後側パネルの細管群の下降流水（ｆ１０）して下側ヘッタ管下面に付設する排出口からパネルヒータ外に排出することで、エア抜き機構を不要として冷温水の均斉な流量を確保し、パネルヒータから均質な熱放射を行う。【００１８】  吊下げ支持のプラスチックパネルヒータは、薄肉の細管の自然表面温度と暖房時の表面温度の差によって細管の伸縮が発生し、例えば暖房前の細管温度が０℃、暖房時の表面温度が４０℃、細管の上下長さが２０００ｍｍの場合、細管は下方に１２ｍｍ（線膨張率：１．５×１０−４ｍ°Ｃ）伸長するため、パネルヒータの下方に配置して結露水を処理するためのドレンパンの底板上に、供給口及び排出口の位置に整合させて、保温材被覆パイプの往き側パイプ及び還り側パイプがおのおの貫通摺動する鞘管を立設して、縦長タイプのパネルヒータの伸縮を自由形態とするのが好ましい。【００１９】  また、懐（上下方向空間）の小さな床下空間に、被覆パイプの往き側パイプ及び還り側パイプを配管する場合、両被覆パイプを鉄筋コンクリート製床スラブの構造床面に敷設し、枠体のドレンパンの略同位置の床面にドレンパンより小形状の切欠孔を穿設して、枠体下側の床下空間内で上昇傾斜状に屈曲させ、冷温水供給口及び冷温水排出口に整合して起立させてパネルヒータに接続すれば、パネルヒータの熱伸縮に伴なう被覆パイプの伸縮は傾斜配管部で吸収させることができ、全ての配管終了後にドレンパン前端下側の、両側柱間の全長に亘って板状の幕板を配置して配管を隠蔽し、美観を維持する。【００２０】  そして、ドレンパン上部の金属製接続金具下側の、往き側パイプ及び還り側パイプの上端は、予め被覆保温材を除去して管を剥き出しにし、慣用の凸形状のゴムキャップを、下端をドレンパンの底板上に載置し、小径部を管に、大径部を被覆保温材及び鞘管に被着することで、被覆パイプの伸縮にも追随し、パネルヒータ及び接続金具からの結露水は、鞘管内に流入することなく、確実にドレンパン内に誘導流水させるのが好ましい。【００２１】  パネルヒータを配置する枠体は、両側の柱の幅（奥行き）寸法（標準幅：１２０ｍｍ）中央にパネルヒータを配置することで、間仕切り壁の表面結露を阻止する離隔寸法（標準：３０ｍｍ）を確保し、パネルヒータ側端と柱との間隔（標準：４０ｍｍ）を保持すれば、パネルヒータを支承する保持金具の支持バー両端や受金具、柱が結露することがなく、従って、枠体の両側の柱は、鋼製やアルミニウム製などの角パイプ、木材で良く、典型的には取付け利便性が高い木製柱を採用するのが良い。【００２２】  また、屋外の熱影響を受けやすく、壁の内部結露や壁前面の表面結露が生じやすい外壁内面にパネルヒータを配置する場合、枠体の両側柱は幅広（標準幅：１５０ｍｍ）とし、両側の柱内面の後端に、アルミシート及び断熱板とから成る遮熱断熱材（標準厚さ：３０ｍｍ）を配置し、断熱性によって、屋外から外壁内面への熱負荷を抑制し、非透湿性によって、外壁内の湿潤作用によるダニ、カビの発生を抑止し、反射性によって、パネルヒータから遮熱断熱材への熱放射を���射し、居室内の熱環境を向上させるのが好ましい。【００２３】  本発明の冷温水循環パネルヒータは、パネルヒータ下端の供給口に連通する往き側パイプ、排出口に連通する還り側パイプ、及びドレンパンに連通する排水管を、懐（上下方向空間）が狭く（最小有効空間の高さ：４０ｍｍ）、凹凸がなく配管自由性が高い鉄筋コンクリート床スラブの構造床面に布設し、居室の既存床部を撤去することなく床下空間内に配管することができる。【００２４】  また、軽量の、例えば幅（左右長さ）が５１０ｍｍ、高さ（上下長さ）が２０５０ｍｍ、厚さが５８．５ｍｍのパネルヒータは重量が６．９ｋｇと軽く、両側の柱と、ドレンパンと、仮止材とから成る枠体内に、予め保持金具、振止金具を用いて取付けして設置場所に搬送すれば、作業日程の短縮が可能で、熱伸縮を吸収し、インテリアへの影響が小さく、耐震性に優れた縦長タイプのパネルヒータは改修用に好適である。
【発明の効果】
【００２５】  本発明のパネルヒータは、冷温水の供給、排出を後側パネルの下側から実施しながら、後側パネルの上側ヘッタ管に滞留しやすい軽量の空気を、水流方向を規制してパネルヒータの下側から排出し、温度斑のない均質の冷却加熱面を提供する。
また、最初に温水が供給され、熱変形が発生しやすい右端細管を後側パネルに配置し、前側パネルの複数の細管群で目隠しし見苦しい部位を隠蔽形態として、美観を保持することができる。【００２６】  パネルヒータの熱伸縮は、保温材を被覆した被覆パイプの往き側パイプ及び還り側パイプをドレンパンの底板上に立設した２本の鞘管内を、自由に上下移動を可能に貫通させ、往き側パイプ及び還り側パイプの屈曲傾斜部で吸収させれば、パネルヒータは循環水の温度に拘束されずに伸縮可能となり、屈曲変位を阻止して美観を維持することができる。【００２７】  また、金属製のドレンパン上部に位置する接続金具下側の、往き側パイプ及び還り側パイプの上端は、予め被覆保温材を除去して管を剥き出しにし、慣用の凸形状のゴムキャップを、下端をドレンパンの底板上に載置し、小径部を管に、大径部を被覆保温材及び鞘管に被着することで、被覆パイプの伸縮に追随し、パネルヒータ及び接続金具からの結露水は、鞘管内に流水することなく、ドレンパンに確実に流水するものであり、鞘管内面は、被覆パイプの被覆保温材の介在で結露の発生はなく、ドレンパンもパネルヒータからの離隔間隔（標準寸法：１００ｍｍ）の保持で、ドレンパン自体の結露はなく接続金具の保温材の被覆が不要であり、美観上、保守性に優れるパネルヒータシステムの構築が成る。【００２８】  パネルヒータの冷温水供給口及び排出口は、後側パネルの下側ヘッタ管に間隔（標準中心間間隔：６０ｍｍ）を設けて並設し、供給口及び排出口と往き側パイプ及び還り側パイプとは接続金具を介在して連通接続するものであり、間隔を設けた接続作業は容易で、下側ヘッタ管と供給口、排出口との接続部の亀裂を阻止する。
また、懐（上下方向空間）の狭い床下空間の上下方向有効寸法は、保温材を被覆した排水管の外径以上（標準：４０ｍｍ）あればよく、懐の狭い鉄骨造や鉄筋コンクリート造の二重床の空間に配管が可能で、改修用にも好適な冷暖房パネルヒータを提供する。
【図面の簡単な説明】
【００２９】
【図１】本発明の実施例図であって、（Ａ）は接続配管を露出形態とした一部切欠正面図、（Ｂ）は一部切欠縦断側面図、（Ｃ）は横断面図である。
【図２】本発明のパネルヒータの説明図であって、（Ａ）は横断面図、（Ｂ）は左側面図、（Ｃ）は前側パネルの正面図、（Ｄ）は後側パネルの前側パネルからの正面図、（Ｅ）は右側面図である。
【図３】パネルヒータの流水説明図であって、（Ａ）は左側面図、（Ｂ）は前側パネルの正面図、（Ｃ）は右側面図、（Ｄ）は後側パネルの前側パネルからの正面図である。
【図４】パネルヒータの保持手段説明図であって、（Ａ）は保持金具の斜視図、（Ｂ）は使用状態縦断側面図、（Ｃ）は振止金具の使用状態部分横断面図、（Ｄ）は使用状態部分側面図である。
【図５】細管群の連結手段説明図であって、（Ａ）は連結具の使用状態縦断側面図、（Ｂ）は平面図である。
【図６】ドレンパンの説明図であって、（Ａ）は一部切欠斜視図、（Ｂ）は側面図、（Ｃ）は使用状態部分正面図、（Ｄ）は還り側パイプとの関係を示す縦断側面図である。
【図７】枠体の説明図であって、（Ａ）は間仕切壁への使用状態横断面図、（Ｂ）は外壁内面への使用状態横断面図、（Ｃ）は（Ａ）の部分斜視図、（Ｄ）は（Ｂ）の部分斜視図である。
【図８】従来例１のパネルヒータ説明図であって、（Ａ）は左側面図、（Ｂ）は前側パネルの正面図、（Ｃ）は右側面図、（Ｄ）は前側パネルからの後側パネルの正面図である。
【図９】従来例２のパネルヒータ説明図であって、（Ａ）は左側面図、（Ｂ）は前側パネルの正面図、（Ｃ）は右側面図、（Ｄ）は前側パネルからの後側パネルの正面図である。
【発明を実施するための形態】
【００３０】  ［冷暖房パネルヒータシステムの全体構成（図１）］
本発明を室内の間仕切壁７５前面に、両側の柱６１は、下端の所定間隔はドレンパン２で確保し、上端の所定間隔は仮止材６３で所定寸法を確保して、立設固定し、放熱パネルヒータシステムを構築した。
図１は本発明システムの全体構成を示す説明図であって、図１（Ａ）は接続配管を露出形態とした正面図、図１（Ｂ）は縦断側面図、図１（Ｃ）は横断面図である。
本発明の全体構成は、図１に示すように、所定位置に、両側柱６１の内側間寸法が４３０ｍｍで、床面７１から天井面７４までの寸法が２３００ｍｍの占有空間に、厚さが３０ｍｍの２本の柱６１間に、放熱パネルヒータシステムを組み込んだものである。
【００３１】  柵状放熱パネルヒータ１は、上側ヘッタ管１３と下側ヘッタ管１３間に多数の細管１４群を並列密集配置した、保形性の乏しいパネルヒータ１の２枚を重層一体化した、薄型で、発熱効率の高い全プラスチック樹脂製パネルヒータ１を用い、該パネルヒータ１の上部部位には、両側の柱６１間に差し渡し固定した保持金具４で、前後左右動を規制して吊下げ支持し、放熱パネル１の下方では、両側の柱６１に取付けたドレンパン２を、放熱パネル１とドレンパン２とには、空気流通間隔及び接続金具５３の取付け間隔を保ち、ドレンパン２底面と居室の床面７１とには、往き側パイプ５１及び還り側パイプ５２の配管作業間隔を保って配置した。
【００３２】  そして、吊下げたパネルヒータ１に対し、保形性を向上させるために、連結具３１によって前後２枚の放熱パネル１１、１２の、全縦パネル１４の相互関係を拘束するとともに、パネルヒータ１の下方部位では前側パネル１１、及び後側パネル１２間に、両側柱６１に固定した振止金具３２を差し込み、前後左右動を規制してパネルヒータ１の剛性を高めた。
【００３３】  ［柵状パネルヒータ（図２）］
パネルヒータ１は、床下空間７３内に配管した往き側パイプ５１からの冷温水の供給循環、還り側パイプ５２への排出循環によって、室内に熱放射するものであって、同寸の２枚のパネルを前後に配置するものであり、図２（Ａ）は横断面図、図２（Ｂ）は前側パネル１１と後側パネル１２とを一体した左側面図、図２（Ｃ）は前側パネル１１の正面図、図２（Ｄ）は後側パネル１２の前側パネル１１から正面図、図２（Ｅ）は右側面図である。
【００３４】  柵状パネルヒータ１の全体形状は、図２に示すように、高さ（上下長さ）が２０００ｍｍ、幅（左右長さ）が３５０ｍｍ、前後厚さが５８．５ｍｍ、上側ヘッタ管１３と下側ヘッタ管１３との間に、多数の細管１４群を差し渡し状に連通した、使用全パイプがプラスチック樹脂パイプから成る前側パネル１１と、前側パネル１１と同一構造の後側パネル１２とを、前後に、前側パネル１１のヘッタ管１３と後側ヘッタ管１３とを対向間隔４．５ｍｍを保って、一体化したものである。
また、形状寸法は、パネルヒータ１を配置する居室の熱負荷などで決定すれば良い。
【００３５】  柵状パネルヒータ１のヘッタ管１３は、外径２７ｍｍ、肉厚５ｍｍであり、細管１４は外径１３ｍｍ、肉厚１．６ｍｍであり、共に、ポリプロピレン・ランダム・コポリマー樹脂（ＰＰＲ樹脂）であって、表面が０．２ｍｍ厚の高機能塗膜層となるように、二層押出成形して定寸に切断準備する。
そして、各細管１４群を、上側ヘッタ管１３と下側ヘッタ管１３とに細管１４群を中心間距離２０ｍｍで融着接合して、上側ヘッタ１３の上端面から下側ヘッタ１３間の寸法、即ちパネルヒータ１の高さが２０００ｍｍの、同一形状の前側パネル１１及び後側パネル１２を準備する。
【００３６】  柵状パネルヒータ１には、図２（Ｃ）及び（Ｄ）に示すように、上側ヘッタ管１３及び下側ヘッタ管１３の左右端には小口板１５を配置し、後側パネル１２の下側ヘッタ管１３下端に、細管１４材を切断したパイプ片を、右端の細管と整合して冷温水供給用の供給口Ｓを下方に突設し、パネルヒータ１の左右長さ（幅）に限らず右から４番目の細管と整合して冷温水排出用の排出口Ｒを下方に小間隔（中心間距離：６０ｍｍ）で突設するものであり、前側パネル１１及び後側パネル１２の上側ヘッタ管１３右端、及び後側パネル１２の下側ヘッタ管１３の右端とには、右端の細管と右から２番目の細管の連通を遮断する仕切板１６をおのおの配置する。
【００３７】  そして、２枚の放熱パネルを、上側ヘッタ管１３相互の間隔４．５ｍｍを保って、２枚のパネル１１、１２を、上側ヘッタ管１３間の両隅を導水パイプ１７で連通可能に接続し、下側ヘッタ管１３間の両隅を流水停止のスペーサパイプ１８で連結すれば、２枚重ねで、後側パネル１２の供給口Ｓと排出口とが間隔（中心間距離：６０ｍｍ）を保って突設したパネルヒータ１が得られる。
【００３８】  得られたパネルヒータ１は、各細管１４間の隙間の間隔は７ｍｍで、細管１４群の対向間隔が１８．５ｍｍ、高さ２０００ｍｍ、厚さが５８．５ｍｍの全プラスチック樹脂パネルヒータ１となる。
そして、ＰＰＲ樹脂製の細管１４群は、人体に良いとされる８μｍ〜１４μｍの波長の輻射波を高い放射率（平均０．９５）で熱放射するため、高性能輻射冷暖房放熱器となる。
【００３９】  ［柵状パネルヒータの水流（図３）］
図３（Ａ）は前側パネル１１と後側パネル１２とを一体化したパネルヒータ１の左側面図、図３（Ｂ）は前側パネル１１の正面図、図３（Ｃ）はパネルヒータ１１の側面図、図３（Ｄ）は後側パネル１２の正面図である。
図３に示すように、後側パネル１２の下側ヘッタ管の右側下端の冷温水供給用の供給口Ｓから流入し、パネルヒータ１内を流水して、供給口Ｓに近接する下側ヘッタ管の排水口Ｒから排出させるものである。
【００４０】  パネルヒータ内の水流循環は、図３に示すように、後側パネル１２の右側下端の供給口Ｓから流入（ｆ１）する冷温水は、右端の細管１４内を上昇流水（ｆ２）→上端の導水パイプ１７内の後側パネル１２から前側パネル１１への流水（ｆ３）→前側パネル１１の右端の細管１４内の下降流水（ｆ４）→下側ヘッタ管１３内の横方向流水（ｆ５）→細管１４群の上昇流水（ｆ６）→上側ヘッタ管１３内の横方向流水（ｆ７）→左端導水パイプ１７内の前側パネル１１から後側パネル１２への流水（ｆ８）→上側ヘッタ管１３内の横方向流水（ｆ９）→細管１４群の下降流水（ｆ１０）→下側ヘッタ管１３内の横方向流水（ｆ１１）→後側パネル１２の右側下端の排出口Ｒから流出（ｆ１２）し、後側パネル１２の下側右端の供給口Ｓから供給口Ｓとの間隔（標準中心間距離：６０ｍｍ）を設けて配置した排出口Ｒへと循環流水する。
【００４１】  また、冷温水内の溶存酸素やパネルヒータ１内の空気は、前側パネル１１の細管１４群内を上昇流水（ｆ６）で押圧して、後側パネル１２に誘導し、空気が滞留しやすい後側パネル１２の上側ヘッタ管１３からは、細管１４群内を下降水流（ｆ１０）の落水圧によって排出口Ｒから流出され、パネルヒータ１は、エア抜き機構を付設しなくても冷温水の水流により排出されるため、露出放熱部の細管１４群は適正な流量を確保し、均質な熱放射が奏功する。
【００４２】  この場合、後側パネル１２の右端細管１４は、流水の温度によって熱変形を生じるが、前側パネル１１の細管１４群が目隠しとなり美観を維持することができる。また、後側パネル１２の右から２番目及び３番目の両細管１４は、下側ヘッタ管１３の左右両側の流水によって流速が低下するが、放熱が低下しやすい後側パネル１２への配置でもあり、パネルヒータ１自体の放熱量に支障はない。
【００４３】  ［枠体（図７）］
枠体６は、室内空間の適宜位置での、床面７１から天井面７４に亘って、柱６１、６２を突っ張り形態で立設した左右一対の柱側枠であって、室内に配置するパネルヒータ機構の配置スペースの、前後幅、左右幅、上下高さを規定する枠である。
図７は枠体６の説明図であって、図７（Ａ）は間仕切壁７５前面の横断面図、図７（Ｂ）は外壁７６内面の横断面図、図７（Ｃ）は間仕切壁７５前面に配置する枠体６の斜視図、図７（Ｄ）は外壁７６内面に配置する枠体６の斜視図である。
【００４４】  間仕切壁７５前面に配置する枠体６は、図７（Ａ）及び（Ｃ）に示すように、両側の柱６１と、金属製のドレンパン２と、上側の仮止材６３とで構成し、両側の側枠としての各柱６１は、厚さが３０ｍｍ、幅が１２０ｍｍ、上下長さが天井高さと同一の２３００ｍｍの断面矩形状で、アルミやステンレス、鋼のパイプや木製でよく、典型的には立設作業性に優れる木製であって、出隅部には慣用の面取りを施すのが良く、ドレンパン２の代用として木製の上側仮止材６３と同様の仮止材を両側の柱６１下側に用いても良く、仮止材６３はパネルヒータ１取付け後に撤去するものである。
【００４５】  また、少なくとも外壁７６内面に配置する枠体６は、図７（Ｂ）及び（Ｄ）に示すように、後端内面に切欠６４を備えた両側の柱６２と、金属製のドレンパン２と、上側の仮止材６３と、外壁内面用として用いる遮熱断熱材６５とで構成し、両側の側枠としての各柱６２は、厚さが３０ｍｍ、幅が１５０ｍｍ、上下長さが２３００ｍｍの断面矩形状で、後端内面の切欠６４間には、アルミシートと成形断熱板とから成る厚さが３０ｍｍ（標準厚さ）の遮熱断熱材６５を配置し、断熱性によって、屋外から外壁７６内面への熱負荷を抑制し、非透湿性によって外壁７６内の湿潤作用によるダニ、カビの発生を抑止し、反射性によって、パネルヒータ１から遮熱断熱材６５への熱放射を反射し、居室内の熱環境を向上させるのが好ましい。
【００４６】  ［ドレンパン機構（図６）］
ドレンパン機構は、冷暖房パネルヒータシステムで生ずる結露水を支障なく処理する手段であって、両側柱６１の対向内側面にドレンパン２を差し渡し状に配置し、底面中央から突設したドレン管２４を慣用のドレン処理手段によって連通させるものであり、図６（Ａ）はドレンパン２の斜視図、図６（Ｂ）は側面図、図６（Ｃ）は使用状態切欠正面図、図６（Ｄ）は図６（Ｃ）の要部拡大図である。
【００４７】  ３ｍｍ厚のアルミ製ドレンパン２の全体形状は、幅が１００ｍｍ、高さが５０ｍｍ、長さが４３０ｍｍで、底板２０から両側板２１が起立する断面矩形であって、両端はねじ挿入用孔Ｈ１を備えた端板２２で閉止し、底板２０中央から、肉厚が１ｍｍ、径が１８ｍｍ、長さ３０ｍｍのドレン管２４を突出し、底板２０右端から肉厚１．５ｍｍ、径が３２ｍｍ、長さ３０ｍｍの往き側パイプ５１及び還り側パイプ５２用の鞘管２３が、右端板２２から５５ｍｍ、中心間距離６０ｍｍの、後側板２１から３４ｍｍの位置に２本の丸パイプとして起立する。
【００４８】  ［保持金具（図４（Ａ）及び（Ｂ））］
保持金具４は、枠体６の柱６１に取付けて柵状パネルヒータ１を吊下げ支承するものであって、両側柱６１の内側対向内面に取付ける一対の受金具４１と、両側受金具４１間に差し渡す１本の長尺の支持バー４２と、支持バー４２上に摺動自在に嵌合する、複数の支承金具４３とからなるものであって、図４（Ａ）は保持金具４の全体斜視図であり、図４（Ｂ）は使用状態の縦断側面図である。
【００４９】  受金具４１は、図４（Ａ）に示すように、縦長孔のねじ孔Ｈ２を備えた両側の当接辺４１１から屈曲突出する両側辺４１２によって支持辺４１３を突出形成した、１．５ｍｍ厚のステンレス鋼板の屈曲加工物であって、幅が１５ｍｍ、高さが４０ｍｍ、長さが６０ｍｍである。
【００５０】  支持バー４２は、厚さ３ｍｍ、上下幅が２５ｍｍで長さが４２５ｍｍのステンレス鋼板である。
また、支承金具４３は、１．５ｍｍ厚のステンレス鋼板の屈曲加工品であって、図４（Ａ）に示すように、幅が４０ｍｍで中央垂直片４３１の両側から長さが３４ｍｍの側辺４３２を前方に突出した、上面視コ字形状であって、図４（Ｂ）のように、側辺４３２が２本の細管１４を介在して突出するもので、高さが２３ｍｍのものである。
【００５１】  そして、両側辺４３２の上端には、前端ｆから中間部位にかけて、下底ｂＰが１３ｍｍ、上底ｔＰが８ｍｍ、高さが８ｍｍの台形突起４３３を備え、両側辺４３２の下端には、台形突起４３３の中央に整合して幅３．２ｍｍ、深さ１３ｍｍの嵌合溝４３４を垂直に備え、両側辺４３２の下端の、嵌合溝４３４と中央垂直片４３１との間には山形切欠４３５を備え、中央垂直片４３１の下縁からは、下方に２個の山形突起４３６を細管１４への当接用に備えたものである。
【００５２】  従って、本実施例の保持金具４にあっては、受金具４１は、両側柱６１の内面に、上下位置調整の下にねじｂ２固定でき、長尺の支持バー４２は、両側の受金具４１の嵌合溝４１４に嵌合して両側受金具４１間に差し渡しして保持でき、支承金具４３は両側辺４３２の嵌合溝４３４で支持バー４２の上端に嵌合して、支持バー４２上に、適宜間隔で適数個（標準：２個）配置して、図４（Ｂ）に示すように、両側辺４３２を、細管１４の２本を介在して細管１４間に挿入すれば、側辺４３２の上端の台形突起４３３が前後対称の斜辺で、前側パネル１１の上側ヘッタ管１３と後側パネル１２の上側ヘッタ管１３とを支承できるものである。
【００５３】  ［振止金具（図４（Ｃ）及び（Ｄ））］
振止金具３２は、パネルヒータ１の下部を、前後動及び左右動を抑制して保持するものであり、図４（Ｃ）は振止金具３２の使用状態横断面図であり、図４（Ｄ）は使用状態正面図である。
振止金具３２は、図４（Ｃ）に示すように、１．５ｍｍ厚のステンレス鋼板製のクランク金具であり、上下高さが２０ｍｍ、幅が２５ｍｍの取付辺３２１と、取付辺３２１の一側縁から、高さが１２ｍｍの突出辺３２３を直交延出し、取付辺３２１の中央部にねじ孔Ｈ３を備えたものである。
【００５４】  図４（Ｃ）に示す振止金具３２は、前側パネル１１及び後側パネル１２の前後細管１４間の対向間隔ｇ６（１８．５ｍｍ）から、後側パネル１２の右端細管１４と右から２番目の細管１４間の隙間に突出辺３２３を挿入し、取付辺３２１を両側の柱６１の内面にねじ孔Ｈ３を介してねじｂ３で固定すれば、外端の細管１４は前後動が中間片３２２の当接規制で抑制でき、突出辺３２３が外方への動きを規制して、パネルヒータ１の下部での前後動及び左右動を抑制する。
【００５５】  ［連結具（図５）］
連結具３１は、パネルヒータ１の上下適所に間隔（標準：６００ｍｍ）配置して、パネルヒータ１の前側パネル１１及び後側パネル１２の全細管１４を、パネルヒータ１の全幅横断形式で拘束して、全細管１４相互の位置関係を確保し、パネルヒータに剛性を付与するものであり、図５（Ａ）は連結具３１の使用状態の縦断側面図であり、図５（Ｂ）は連結具３１の平面図である。
【００５６】  連結具３１は、耐衝撃性、耐熱性、耐薬品性に優れたＡＢＳ樹脂の射出成型品であって、総高さ７．５ｍｍ、幅が４１．５ｍｍ、長さが２００ｍｍの断面山形状で、肉厚５ｍｍの中央頂部３１１から肉厚２．５ｍｍの両側縁へ、上面３１２も下面３１３も下降傾斜の水勾配を備え、両側縁には、図５（Ｂ）に示すように、開口３１４を備えた円弧弾性クリップ３１５群を、パネルヒータ１の細管１４群に対応配置したものである。
【００５７】  そして、円弧弾性クリップ３１５の開口３１４は円弧突片３１６で形成し、各円弧突片３１６間には切開二股３１７を配置して、各円弧突片３１６の弾撥性の均斉を図り、直径１４ｍｍの円弧内面３１８には、細管１４の外周への当接応力増大のための係止用突条３１９を、２条、間隔（標準：８０°）配置したもので、１本の長さ２００ｍｍとし、長手方向の、前端の嵌合孔ｃｈと後端の嵌合用突起ｃＰとにより、長さ方向に複数本嵌合して所要長とするものであって、パネルヒータ１への嵌合は、図５（Ｂ）に示すように、細管１４の外表面が円弧弾性クリップ３１５の最外面よりも外方に突出した位置に占める寸法関係としたものである。
【００５８】  従って、連結具３１は、図５（Ａ）に示すように、パネルヒータ１の前側パネル１１と後側パネル１２の対向面間隔ｇ６（１８．５ｍｍ）内に挿入して、一側縁の円弧弾性クリップ３１５群を他方の放熱パネルの細管１４群に、他側縁の円弧弾性クリップ３１５群を他方の放熱パネルの細管１４群に弾撥嵌合すれば、１本の連結具３１が、その嵌合位置で全細管１４の相互位置関係を拘束し、連結具３１の結露水は上下の水勾配によって側方へ誘導して細管１４の外周から下方に導水できるものである。
尚、円弧弾性クリップ３１５が細管１４を弾撥把持した際に、小突条３１９が円弧内面３１８と細管１４外周面との小隙間を形成するが、該隙間は結露水の流下を促進する。
【００５９】  ［冷暖房パネルヒータシステムの構築（図１）］
冷暖房パネルヒータシステムの構築は、左右一対の柱６１を備えた枠体６を立設固定して、左右方向は、両側の柱６１の対向内面間、上下方向は、床面７１から天井面７４、前後幅は、対向柱６１の前後幅間の、冷暖房パネルヒータシステムの配置空間の形成施工と、ドレンパン機構の上部へのパネルヒータ１の配置施工と、床下空間７３配管のパネルヒータ１への接続施工とで実施するものである。
【００６０】  ［配管空間の形成施工（図７）］
間仕切壁７５前面に冷暖房パネルヒータシステムを設置するための配置空間は、図７（Ａ）及び（Ｃ）に示すように、前後幅が１２０ｍｍ、左右幅が３０ｍｍ、長さが２４００ｍｍの断面矩形の両側柱６１の、対向内面間の、下部にドレンパン機構の、幅が１００ｍｍ、高さが５０ｍｍ、長さ４３０ｍｍの金属製ドレンパン２をねじｂ１で固定し、両側柱６１の上部適所に木材の仮止材６３を仮止し、上端間及び下端間の間隔寸法を確保した枠体６を間仕切壁７５に密接し床面７１に起立して、例えば慣用のアングル片を両側柱６１の外側面上下端に固定し、下端のアングル片を床面７１と、上端のアングル片を天井野縁とに固定して、枠体６を床面７１と天井７４面間に立設固定すれば、冷暖房パネルヒータシステムの配置空間が形成できる。
そして、枠体６が間仕切壁７５前面に密接して床面から天井面に亘って強固に立設固定できた段階で、柱６１間に配置した仮止材６３を除去すれば、間仕切壁７５前面用の配置空間形成が完了する。
【００６１】  また、外壁７６内面に冷暖房パネルヒータシステムを設置するための配置空間は、図７（Ｂ）及び（Ｄ）に示すように、前後幅が１５０ｍｍ、左右幅が３０ｍｍ、長さが２４００ｍｍの断面矩形の両側柱６２の、対向内面間の、下部にドレンパン機構の、幅が１００ｍｍ、高さが５０ｍｍ、長さが４３０ｍｍの金属製ドレンパン２をねじｂ１で固定し、両側柱６２の上部適所に木材の仮止材６３を仮止めし、上端間及び下端間の間隔寸法を確保して、両側柱６２の後部切欠６４間にアルミシートの遮熱材と断熱板とから成る厚さ３０ｍｍの遮熱断熱材６５の成形板を、両側柱６２間に亘って配置した枠体６を外壁７６内面に密接し床面７１に起立して、間仕切壁７５用と同様に、慣用のアングル片を両側柱６１の外側面上下端に固定し、下端のアングル片を床面７１と、上端のアングル片を天井野縁とに固定し、枠体６を床面７１と天井面７４間に立設固定すれば、冷暖房パネルヒータシステムの配置空間が形成できる。
そして、間仕切壁用と同様に仮止材６３を除去すれば、外壁７６内面用の配置空間形成が完了する。
【００６２】  この場合、両側柱６１が間仕切壁７５前面に、両側柱６２が外壁７６内面におのおの枠体６を密着配置することで、両側柱６１、６２が居室内の高温高湿空気のパネルヒータ１裏側への回り込みを低減し、パネルヒータ１裏側の、間仕切壁７５前面、外壁内面用の成形遮熱断熱材６５表面の結露水発生を抑制する。
【００６３】  そして、成形遮熱断熱材６５を備えた外壁内面用の枠体６は、外壁７６の断熱性能に依存せずに、断熱板が外壁からの熱伝導を阻止し、遮熱材がパネルヒータ１から成形遮熱断熱材６５への熱放射を反射し、遮熱材及び断熱板とが湿気の透過を阻止し外壁内の湿潤作用によるダニ、カビの発生を抑制して、室内空間の温熱環境、健康性を保持する。
【００６４】  ［柵状パネルヒータの配置（図１、図４）］
柵状パネルヒータ１は、下端を下方のドレンパン２上面から間隔ｇ３（標準：１００ｍｍ）を保持した状態となるように、且つ両端が柱６１の内面と間隔ｇ１（標準：４０ｍｍ）を、上端が天井面７４と間隔ｇ４（標準：５０ｍｍ）をおのおの保持して、柱６１の前後幅中央に配置するもので、図４（Ｂ）に示すように、支承金具４３の両側辺４３２を２本の細管１４を介入した形態で、細管１４間に後側から挿入し、台形突起４３３を両上側ヘッタ管１３間に下方から挿入し、支承金具４３を嵌合した支持バー４２の両端を、柱６１の内面に固定した受金具４１の嵌合溝４１４に嵌入して支承する。
【００６５】  この場合、パネルヒータ１の、上下位置の微調整は、受金具４１の、柱６１内面への、縦長孔Ｈ２を介したねじｎ２での上下位置調整取付けで、左右位置の微調整は、支持バー４２の受金具４１に対する嵌合摺動で実施する。
また、パネルヒータ１の下方部位では、図４（Ｃ）に示すように、左右一対の、柱６１にねじｂ３で固定した振止金具３２の取付辺３２１の前後位置調整の下に、後側パネル１２の両端の細管１４及び左右から２番目の細管１４間に突出辺３２３を挿入して実施される。
【００６６】  そして、支持バー４２両端の結露防止対策として、支持バー４２下端から間隔５０ｍｍ以上、且つ６００ｍｍ以下を保持した下方位置で、最上の連結具３１を前側パネル１１と後側パネル１２間に挿入して、連結具３１を６００ｍｍの上下間隔を保ってパネルヒータ１に嵌合係止する。
【００６７】  従って、柵状パネルヒータ１の配置は、パネルヒータ１両側端と柱６１との間隔ｇ１（標準：４０ｍｍ）を保持すれば、支持バー両端及び振止金具３２に結露の発生を阻止し、パネルヒータ１後端と背面の間仕切壁７５との間隔ｇ２（標準：３０ｍｍ）を保てば、間仕切壁７５の結露の発生を阻止し、パネルヒータ１下端とドレンパン２上面との間隔ｇ３（標準：１００ｍｍ）を保持することで、金属製ドレンパン２自体の外面に断熱材を被覆することなく、パネルヒータ１のパイプ接続作業が容易となり、パネルヒータ１上端と天井面７４との間隔ｇ４（標準：５０ｍｍ）を確保すれば、天井面７４への湿気の影響がなくダニ、カビの発生を阻止することができ、そして、床面７１とドレンパン２との間隔ｇ５（標準：１００ｍｍ）を保持すれば、往き側パイプ５１及び還り側パイプ５２の配管接続作業が容易となる。
【００６８】  ［配管接続施工（図１（Ａ）、（Ｂ）及び図６（Ｃ）、（Ｄ））］
床下空間７３内の配管は、図１（Ａ）に示すように、径９．６ｍｍ、肉厚０．８ｍｍの銅製の管５４に保温材５５を被覆した、径が２８ｍｍの慣用の被覆パイプを往き側パイプ５１又は還り側パイプ５２として準備し、枠体６のドレンパン２の略同位置の床面７１にドレンパン２より小形状の切欠孔Ｈ４を穿設し、該切込孔Ｈ４から慣用のスチールワイヤを挿入し、先端に被覆パイプを緊縛して引込み、枠体６下側で構造床面７２上の被覆パイプを上昇傾斜状に屈曲し、冷温水供給口Ｓ又は冷温水排出口Ｒに整合して起立させ、ドレンパン２の内径２９ｍｍの鞘管２３に下側から挿通し、供給口Ｓ又は排出口Ｒに被着した接続金具５３に連通接続する。
【００６９】  この場合、供給口Ｓと排出口Ｒとは、左右に分離形態（中心間距離：６０ｍｍ）として後側パネル１２下端から垂下しているため、往き側パイプ５１又は還り側パイプの接続作業は容易に実施できる。
全ての配管接続作業の終了後に、ドレンパン２の前端下側の、両側柱６１間の全長に亘って上下幅１００ｍｍ（ｇ５）の板状幕板２７を配置して、配管を隠蔽し美観を維持する。
【００７０】  また、図６（Ｃ）に示すように、床下空間７３の懐（上下方向空間）が広い場合、各配管は、例えば床面７１下側から慣用手法の吊ボルトを介して吊下げ形態で支持するものであり、枠体６のドレンパン２の略同位置の床面７１にドレンパン２より小形状の切欠孔Ｈ５を穿設し、枠体６下側の床下空間７３内で上昇傾斜状に屈曲させ、冷温水供給口Ｓ又は冷温水供給口Ｒに整合して被覆パイプを起立し、ドレンパン２の内径２９ｍｍの鞘管２３に下側から挿通させて、供給口Ｓ又は排出口Ｒに被着した接続金具５３に連通するものであり、全ての配管終了後に切欠孔Ｈ５を慣用の手法で閉止し、ドレンパン２の前端下側の、両側柱６１間の全長に亘って上下幅１００ｍｍ（ｇ５）の木製板状材の幕板２７を配置して、配管を隠蔽し美観を維持する。
【００７１】  そして、ドレンパン２の上部に配置する金属製の接続金具５３の下側は、図６（Ｄ）に示すように、往き側パイプ５１及び還り側パイプ５２の被覆パイプ上端は、予め被覆保温材５５を除去して管５４を剥き出しにし、凸形状のゴムキャップ２６を被着し、接続金具５３に被覆パイプを接続後、管５４にゴムキャップ２６の小径部を、鞘管２３及び被覆パイプに大径部を被着し、ゴムキャップ２６の下側をドレンパン２の底板２０上に載着して配置するものであり、パネルヒータ１の供給口Ｓ及び排出口Ｒを伝い流下する結露水や、接続金具５３に発生した結露水は、鞘管２３内に浸入することなくドレンパン２内に確実に落下誘導される。
【００７２】  また、排水管２５の配管施工は、図１（Ａ）に示すように、ドレンパン２の中央から下方に突設した径１８ｍｍのドレン管２４に、径２６ｍｍ、肉厚２．７ｍｍの塩化ビニル管に保温材を被覆した外径３４ｍｍの排水管２５を被着接続するものであり、往き側パイプ５１及び還り側パイプ５２と同様に、枠体６のドレンパン２と略同位置の床面７１に切欠孔Ｈ４を突設し、該切欠孔Ｈ４から慣用のスチールワイヤを挿入して、排水管２５のＬ字形状に折曲した先端に緊縛して引込み、枠体６下側で構造床面７２上の排水管２５を上昇傾斜状に持上げて先端を起立し、ドレンパン２下端のドレン管２４に排水管２５を被着接続し、全ての配管終了後にドレンパン２前端下側の、両側柱６１間の全長に亘って上下幅１００ｍｍ（ｇ５）の木製板状材の幕板２７を配置して、配管を隠蔽し美観を保持する。
【００７３】  そして、枠体６に、保持金具４や振止金具３２を用いて、予め柵状パネルヒータ１を配置し一体化枠体として、取付場所に搬送、立設すれば、往き側パイプ５１、還り側パイプ５２及び排水管２５の接続施工を実施することで、短期間に設置可能となり、居住者が住んだまま作業を行うことができ、好適な改修用の冷暖房パネルヒータシステムを構築する。
【００７４】  本発明の冷暖房パネルヒータシステムは、鉄骨造、鉄筋コンクリート造の床下空間の懐（上下方向空間）の狭い（標準有効空間寸法：４０ｍｍ）居室や懐の広い木造建物にも適用でき、間仕切壁の前面や熱影響を受けて内部結露が発生しやすい外壁の内面にも、両側の柱６１、６２が固定枠として立設固定できる位置であれば自在に配置でき、目隠し仕切りとしても機能する、実用性が高く、居室のインテリアへの支障が少ない、耐震性に優れた縦長タイプの柵状パネルヒータであって、改修用として最適な冷暖房システムを提供する。
【符号の説明】
【００７５】１    ：パネルヒータ
２    ：ドレンパン
３    ：補強具
４    ：保持金具
５    ：給排出管
６    ：枠体
１１  ：前側パネル
１２  ：後側パネル
１３  ：ヘッタ管
１４  ：細管
１５  ：小口板
１６  ：仕切板
１７  ：導水パイプ
１８  ：スペーサパイプ
２０  ：底板
２１  ：側板
２２  ：端板
２３  ：鞘管
２４  ：ドレン管
２５  ：排水管
２６  ：ゴムキャップ
２７  ：幕板
３１  ：連結具
３２  ：振止金具
４１  ：受金具
４２  ：支持バー
４３  ：支承金具
５１  ：往き側パイプ
５２  ：還り側パイプ
５３  ：接続金具
５４  ：管
５５  ：被覆保温材
６１、６２：柱
６３  ：仮止材
６４  ：切欠
６５  ：遮熱断熱材
７１  ：床面
７２  ：構造床面
７３  ：床下空間
７４  ：天井面
７５  ：間仕切壁
７６  ：外壁
３１１：中央頂部
３１２：上面
３１３：下面
３１４：開口
３１５：円弧弾性クリップ
３１６：円弧突片
３１７：切開二股
３１８：円弧内面
３１９：係止用突条
４１１：当接辺
４１２、４３２：側辺
４１３：支持辺
４１４、４３４：嵌合溝
４３１：中央垂直辺
４３３：台形突起
４３５：山形切欠
４３６：山形突起
Ｈ１、Ｈ２、Ｈ３：ねじ孔
Ｈ４、Ｈ５：切欠孔
Ｒ    ：排出口
Ｓ    ：供給口
ｂＰ  ：下底
ｂ１、ｂ２、ｂ３：ねじ
ｃｈ  ：嵌合孔
ｃＰ  ：嵌合用突起
ｆ    ：前端
ｇ１、ｇ２、ｇ３、ｇ４、ｇ５、ｇ６：間隔
ｔＰ  ：上底
【図１】
2018162961.tif 000003
【図２】
2018162961.tif 000004
【図３】
2018162961.tif 000005
【図４】
2018162961.tif 000006
【図５】
2018162961.tif 000007
【図６】
2018162961.tif 000008
【図７】
2018162961.tif 000009
【図８】
2018162961.tif 000010
【図９】
2018162961.tif 000011